(57)【要約】【課題】本発明の課題は、大豆収穫の際、グレンタンク内に設けられる仕切板の着脱容易化並びにその作業の能率化を図ることにある。【解決手段】本発明は、底部に搬出コンベアを内装軸架してあるコンバインに搭載のグレンタンクにおいて、このグレンタンク内には前記搬出コンベアの上方近くに位置して外端側が下方に低くなるよう傾斜する仕切板を着脱自在に設け、前記グレンタンクの横外側板には前記仕切板上に連通する大豆取出口を開口して設け、前記仕切板は、前後方向複数個に分割構成すると共に、前記大豆取出口から出し入れできるように構成してあることを特徴とする。【選択図】図２
2006180731.tif 000002
【特許請求の範囲】
【請求項１】
底部に搬出コンベア（７）を内装軸架してあるコンバインに搭載のグレンタンク（６）において、このグレンタンク（６）内には前記搬出コンベア（７）の上方近くに位置して外端側が下方に低くなるよう傾斜する仕切板（１１）を着脱自在に設け、前記グレンタンクの横外側板（１０）には前記仕切板（１１）上に連通する大豆取出口（１２）を開口して設け、前記仕切板（１１）は、前後方向複数個に分割構成すると共に、前記大豆取出口（１２）から出し入れできるように構成してあることを特徴とするコンバイン。
【請求項２】
前記仕切板（１１）は、大豆取出口（１２）を閉塞するための閉塞板を兼用する構成としてあることを特徴とする請求項１記載のコンバイン。
【請求項３】
前記仕切板（１１）は、グレンタンク（６）の前後の側板（１６），（１７）を連結保持する補強部材（１８）によって支持するように構成してあることを特徴とする請求項１記載のコンバイン。
【発明の詳細な説明】
【技術分野】
【０００１】
本発明は、稲麦や大豆等の穀稈を刈り取って脱穀するコンバインに関し、農業機械の技術分野に属する。
【背景技術】
【０００２】
従来、底部に搬出コンベアを軸装して排出オ−ガにより穀粒を排出するグレンタンクを機体の一側部に搭載して構成するコンバインにおいて、籾や麦など通常の穀粒を取り出すときには搬出コンベア、排出オーガを通じてタンク外に取り出すが、種子や大豆などの穀粒を取り出す際には、前記搬出コンベアや排出オーガを経由すると穀粒に傷がついて品質低下を招くため、別の経路を経て取り出しできるように、タンク内の下部で搬出コンベアの上方近くに仕切板を取り付けて貯溜するようにしている。そして、その穀粒を取り出すときには仕切板の下端上方を開口した開口部のシャッターを開き、その開口部に連通した排出樋を通じて取り出し、袋内に取り入れるように構成したものが知られている（例えば、特許文献１参照。）。
【特許文献１】特開平８−３１１７７２３号公報
【発明の開示】
【発明が解決しようとする課題】
【０００３】
従来技術のものでは、仕切板の着脱に際しては、タンクの上部を開放できるようにして、その上部の開放部から仕切板を取り付けたり取り外したりするものであるが、このような上部からの着脱作業は容易ではなく、能率低下を招く問題がある。
【０００４】
本発明の課題とするところは、仕切板の着脱容易化並びにその作業の能率化を図ることにある。
【課題を解決するための手段】
【０００５】
本発明は、かかる課題を解決するために、次の如き技術的手段を講じた。すなわち、請求項１記載の本発明は、底部に搬出コンベア（７）を内装軸架してあるコンバインに搭載のグレンタンク（６）において、このグレンタンク内には前記搬出コンベアの上方近くに位置して外端側が下方に低くなるよう傾斜する仕切板（１１）を着脱自在に設け、前記グレンタンクの横外側板（１０）には前記仕切板（１１）上に連通する大豆取出口（１２）を開口して設け、前記仕切板（１１）は、前後方向複数個に分割構成すると共に、前記大豆取出口（１２）から出し入れできるように構成してあることを特徴とする。
【０００６】
通常の収穫作業では、仕切板（１１）を取り外し、大豆取出口（１２）を閉じておくと、グレンタンク（６）内に穀粒を貯溜して搬出コンベア（７）及び排出オ−ガ（８）を介して排出できるものであり、大豆を収穫する場合には、仕切板（１１）を取り付けると共に、大豆取出口（１２）にはホッパー（１３）を連通設置すると、グレンタンク内とホッパー内とに大豆を貯溜しホッパー（１３）下端のシャッター（１５）を開けて袋に取り出すことができる。
【０００７】
そして、前記仕切板（１１）は、前後複数個に分割してあるため、この仕切板の着脱及び出し入れに際しては、大豆取出口（１２）から簡単に行うことができる。
請求項２記載の本発明は、請求項１において、前記仕切板（１１）は大豆取出口（１２）を閉塞するための閉塞板を兼用する構成としてあることを特徴とする。  複数個に分割された仕切板（１１）の一つが大豆取出口（１２）の閉塞板として兼用するので、閉塞板を別個に設ける必要がなく、安価に実施することができる。
【０００８】
請求項３記載の本発明は、請求項１において、前記仕切板（１１）はグレンタンク（６）の前後の側板（１６），（１７）を連結保持する補強部材（１８）によって支持するように構成してあることを特徴とする。
【０００９】
グレンタンク（６）の前後の側板（１６），（１７）は補強部材（１８）によって強固に連結保持される。そして、仕切板（１１）は補強部材（１８）によって下から支持されるので、仕切板自体の剛性がアップし、仕切板の取り付け、取り外しに際しては、補強部材がガイドの役目を果たすことになり、位置決めが容易で着脱作業も容易にできる。
【発明の効果】
【００１０】
以上要するに、請求項１の発明によれば、仕切板（１１）は、前後複数個に分割してあるため、この仕切板の着脱及び出し入れに際しては、大豆取出口（１２）から簡単容易に行うことができ、作業の能率化を図ることができる。
【００１１】
請求項２の発明によれば、請求項１の発明効果を奏するものでありながら、仕切板（１１）によって大豆取出口（１２）を閉塞するので、閉塞板を別個に設ける必要がなく、安価に実施することができる。
【００１２】
請求項３の発明によれば、請求項１の発明効果を奏するものでありながら、仕切板（１１）はタンクの前後側板を補強する補強部材（１８）によって支持されるので、仕切板自体の剛性がアップし、仕切板の取り付け、取り外しに際しては、補強部材がガイドの役目を果し、位置決めが容易となり、着脱作業を容易に行うことができる。
【発明を実施するための最良の形態】
【００１３】
以下、本発明の実施例を図面に基づいて具体的に説明する。
まず、全稈投入型の汎用コンバインの構成について述べる。
走行クロ−ラ１を具備する車体２上には、前部に昇降可能な刈取部３を、後部に全稈投入型の脱穀部４を搭載している。刈取部３のフイ−ダハウスの横側部には運転席や操作部などからなる乗用運転部を包囲するキャビン５が設置され、その後方にはグレンタンク６が装備されている。前記キャビン５とグレンタンク６との間で車体２上にはコンバイン各部に動力伝達するエンジンＥが搭載されている。
【００１４】
グレンタンク６は、底部に搬出コンベア７を内装軸架し、タンク内に貯溜された穀粒を一側に搬出し揚穀オ−ガ８、排出オ−ガ９を介して排出する形態のもので、稲麦などの通常の収穫作業によって貯溜する従来型同様の構成としている。  グレンタン６の横外側方側でその下半部位となる横外側板１０には、後記する仕切板１１の傾斜下端側上方位置に大豆取出口１２を開口して設け、大豆等の穀物を収容するビーンホッパー１３を連設するように構成している。
【００１５】
仕切板１１は、特に、大豆の収穫作業に際し、グレンタンク内下方で、搬出コンベア７の上方近くに横外端側が下方に低くなるよう傾斜させて取り付けるもので、稲麦などの通常の収穫作業に際しては、これを取り外して使用できるように着脱自在に構成している。また、この仕切板１１は前後方向複数個に分割してあり、実施例では前仕切板１１ｆ、中仕切板１１ｃ、後仕切板１１ｒとからなるように３分割した構成としている。
【００１６】
大豆取出口１２は、グレンタンク６の前後幅よりも狭く開口して設けた構成であり、そして、この取出口１２から前記３分割された各仕切板１１ｆ，１１ｃ，１１ｒを個々に取り外すことができ、且つ、外部へ取り出すこともできるように構成している。各仕切板１１ｆ，１１ｃ，１１ｒのうち、中仕切板１１ｃは、大豆取出口１２を閉塞して大豆以外の収穫ができるように横外側板１０に対し取付可能に構成している。
【００１７】
ビーンホッパー１３は、前記大豆取出口１２に連通させた状態とし、横外側板１０に対し着脱自在に連結している。そして、ホッパー１３の下部には排出筒１４が連設され、この排出筒１４の途中部にはシャッタ−１５が開閉自在に設けられている。
【００１８】
また、グレンタンク６の前側板１６と後側板１７は、グレンタンク自体の構成を強固に保持するため、前後方向に延びる補強部材１８によって連結支持している。そして、前記仕切板１１はこの補強部材１８を利用して載架支持できるように該仕切板の途中部にガイド部材１９を設けている。これによれば、仕切板が補強部材上に支持されることによって仕切板の剛性がアップする。従来のように仕切板自体に剛性をもたせる必要がなくなくなるため軽くて済み、組み付け、組み外しが容易となる。
【００１９】
図６及び図７に示す実施例は、ビーンホッパ−を廃止した構成であり、タンクの横外側板１０に設けられる大豆取出口１２Ａは、操作席２１の最右側端より内側に入り込んだ位置となるよう配置構成してあると共に、下端側が狭く上端側ほど広くなる略逆台形の開口形状とし、そして、この大豆取出口部には開閉シャッター２２を設けた構成としている。タンクの大豆取出口部が操作席より外方に張り出していないため、路上走行時等での運転が容易で安全に運行することができる。また、取出口が逆台形状であるため、開閉シャッターの開閉度合いに応じて排出流量を任意に調節することができて便利である。
【００２０】
図８〜図１０に示すグレンタンクにおいて、１番昇降機２３側方の増量膨出部６ａに穀粒満杯検出センサ２４及びレベルセンサ２５，２５…を設けるようにしておくと、機体の動きに左右されず、正確な検出が可能となり、昇降機の側方に設けているため、検出作動タイミングが遅くなり、より満杯充填が可能となる。また、タンクの膨出部に設置しているため、タンク容量が大幅に増大し、充填率が向上する。
【００２１】
更に、図９、図１０に示すように、エンジンカバー２６の開閉支点軸２７をグレンタンク６側に設けた構成においては、エンジンカバーを開放すると、これがグレンタンクに接触して傷がついたり、変形したりする恐れがある。本例では、グレンタンク６とエンジンカバー２６との接触部に弾性ストッパー２８を設けることで、上記問題点を解消することができる。また、図１１及び図１２に示すように、エンジンカバー２６とグレンタンク６との間には、該エンジンカバー側に枢着したトッパーロッド２９と、グレンタンク側に取り付けた長穴ガイド３０を有するストッパーガイド３１などからなるストッパーガイド機構３２を設けることにより、エンジンカバー開放時にはストッパーロッド２９がストッパーガイド３１の長穴ガイド３０端部までスライドして停止し、エンジンカバーはグレンタンクに接触しない位置で確実に係止ロックされた状態となり、上記問題点を解消することができる。なお、エンジンカバー最開状態でロックできるように、前記長穴ガイド３０の端部にロック用切欠部３０ａを設けておくと安定した開放状態を維持できる。
【００２２】
図１３及び図１４に示す実施例について説明する。
エンジンＥをグレンタンク６とキャビン５との間に配置してあるコンバインにおいて、エンジンＥを保護するようにガードフレーム３５を設置し、その上部には防塵カバーを兼用する遮熱板３６を設けてみる。そして、更に、エンジンＥから上方に突設するエアークリーナ３７はキャビン５の背部でリヤウインド３８から目視できる高所に配設している。エアークリーナがキャビンのリヤウインドから目視できる位置にあるため、クリ−ナの汚れ具合が良く判り、点検、清掃等の場合はリヤウインドを開ければ、キャビン内からでも容易にでき、また、グレンタンクをオープンし、エンジンのガードフレーム上に乗って作業することも容易にできる。
【００２３】
図１５において、コンデンサを具備するコンバインにおいては、従来のように、特に、コンデンサをエンジンの上方に設けたものでは熱気により効率が低下していた。本例におけるこの種のコンデンサ３８は、機体後方でグレンタンク６後部に立設する揚穀オーガ８周辺の空間部に配置し、しかも、コンデンサの配管を下方より配策できるように上下方向の縦向きに配置する構成とした。これによれば、コンデンサを縦向きに配置するので、コンデンサの配管が短く配策でき、揚穀オーガの周辺の空間を有効利用することができ、エンジン等の熱の影響が少なくなるのでエアコンの効きが良くなる。なお、図中、３９は配管、４０はリヤカバーで、枢支点Ｑを支点として揺動開閉するようになっている。４１はチョッパ等の作業機を示す。
【００２４】
図１６において、エンジンＥから選別部４４への動力伝達経路中に回転動力を断続する選別クラッチ４５が設けられ、エンジンＥから脱穀部４へは脱穀クラッチ４６が、また、エンジンＥから刈取部３への動力伝達経路中には刈取クラッチ４７がそれぞれ設けられている。そこで、例えば、作動モータの駆動操作により、まず、選別クラッチが先に入り、その後、脱穀クラッチが入るように構成しておくと、各クラッチが作動するまでに時間差があり、作動モータへの負荷が小さくて済み、選別部に残った被選別物の処理が開始された後、扱室からの脱穀処理物が供給されるため、脱穀部への負荷が小さくなると共に、選別精度も向上することになる。
【００２５】
また、脱穀クラッチ４６「入」後、所定の時間差をおいて刈取クラッチ４７が「入」となるよう構成しておくと、脱穀部に残った脱穀物の処理が開始された後で、刈取部からの刈取作物が供給されるため、上記同様に脱穀部への負荷が小さくなると共に、選別精度も向上する。なお、脱穀部と刈取部のクラッチ操作は一つのレバーで行うことができる。脱穀部のクラッチは機械式、電気式いづれでも良いが、刈取部のクラッチは電気式で行うと良い。
【００２６】
図１７、図１８に示す実施例は、汎用コンバインの２番還元処理装置に関するもので、２番物を還元処理する２番還元装置５０は、２番物を受け入れて揚上搬送し還元口５１から扱胴５２室下方の揺動選別棚５３上へ還元処理する構成であり、還元口５１の上端と扱胴室の受網との間には、扱胴５２室からの漏下穀物と、還元口５１からの２番物を分離しながら案内処理する仕切案内板５４を設けた構成である。これによれば、穀粒が還元物と一緒に混在するのを防止でき、選別性能を高めることができる。
【図面の簡単な説明】
【００２７】
【図１】コンバインの側面図
【図２】グレンタンクの背面図
【図３】グレンタンクの側面図
【図４】ビーンホッパ−付グレンタンクの背面図
【図５】グレンタンク要部の背面図
【図６】グレンタンクの背面図
【図７】同上側面図
【図８】グレンタンクの左側面図
【図９】グレンタンクの平面図
【図１０】コンバイン要部の側面図
【図１１】コンバイン要部の平面図
【図１２】エンジンカバー開閉機構の斜視図
【図１３】コンバイン要部の側面図
【図１４】コンバイン要部の背面図
【図１５】コンバイン要部の平面図
【図１６】コンバイン各部の動力伝達経路図
【図１７】同上要部の背面図
【図１８】コンバイン要部の側面図
【符号の説明】
【００２８】
６    グレンタンク                ７    搬出コンベア
８    揚穀オ−ガ                  ９    排出オ−ガ
１０    横外側板                  １１    仕切板
１２    大豆取出口                １３    ビーンホッパー
１４    排出筒                    １５    シャッター
１６    前側板                    １７    後側板
１８    補強部材
【図１】
2006180731.tif 000003
【図２】
2006180731.tif 000004
【図３】
2006180731.tif 000005
【図４】
2006180731.tif 000006
【図５】
2006180731.tif 000007
【図６】
2006180731.tif 000008
【図７】
2006180731.tif 000009
【図８】
2006180731.tif 000010
【図９】
2006180731.tif 000011
【図１０】
2006180731.tif 000012
【図１１】
2006180731.tif 000013
【図１２】
2006180731.tif 000014
【図１３】
2006180731.tif 000015
【図１４】
2006180731.tif 000016
【図１５】
2006180731.tif 000017
【図１６】
2006180731.tif 000018
【図１７】
2006180731.tif 000019
【図１８】
2006180731.tif 000020